(57)【特許請求の範囲】
【請求項１】
便座の固着部分及び便器を貫通するボルトによって保持されている便座を有する便器用のトイレ用取っ手レールサポートであって、
上記トイレ用取っ手レールサポートは、固定されたパーツだけからなり上記便器のみに支持される構造であり、上記便器の後部上にしっかりと載置されて上記ボルトによって固着される載置部分と、上記載置部分に堅く連結されたサイドレールとを備え、
上記サイドレールは、上記トイレ用取っ手レールサポートが便座に載置される場合に、便器のリム近くの便器の外面からわずかに離隔して水平な部分を形成するために上記載置部分から前方に延在するように載置部分に剛直に連結されると共に上記便器の前方の近くで上記便器のリムの上面に載せられるラグが剛直に連結される各サイドレールの水平部と、上記便器の外面に対して堅く押し付けられるように調節可能なボルトを支持するサポートとを備え、
上記便器の前部近くの上記サイドレールは、上方に湾曲していて、上記便座に座ったり立ち上がったりする使用者が掴まることができる堅いハンドピースを形成するように構成されている、ことを特徴とするトイレ用取っ手レールサポート。
【請求項２】
請求項１に記載のトイレ用取っ手レールサポートであって、
各前記サイドレールは、前記便器の前部近くで上方に湾曲していて、ループ形態で後方及び下方に湾曲している、ことを特徴とするトイレ用取っ手レールサポート。
【請求項３】
請求項１に記載のトイレ用取っ手レールサポートであって、
各前記サイドレールは、前記便器の前部近くで上方に湾曲していて、そして後方に湾曲し、更に両側のサイドレールを結合するために横断している、ことを特徴とするトイレ用取っ手レールサポート。
【請求項４】
請求項１〜請求項３のいずれか１項に記載のトイレ用取っ手レールサポートであって、
上記サポートは、パウダーコートされた金属から作られている、ことを特徴とするトイレ用取っ手レールサポート。
【発明の詳細な説明】
【０００１】
【発明の属する技術分野】
本発明は、人体からの排出物をタンク等からの水によって下方に押し流す便器を有するタイプの水洗トイレに、使用者自身を位置づける際に、使用者を補助するために用いられる安全装置に関する。このタイプの水洗トイレにおいて、便器は、床上又は壁に支持されていて、通常は、２個の枢動連結部分、すなわち、便器の上部リム上に載置されている固着部分と、ほぼ水平位置すなわち着座位置から直立位置すなわち男性用小便用位置まで枢動することができる可動部分と、を有する便座を具備する。
【０００２】
使用者が便座に着座するためにしゃがんだり、便座から立ち上がったりすることをより容易に且つ安全に行うことができるようにするため、便器上にしっかりと載置可能な取っ手レールの形態で安全装置を提供することが提案されている。トイレ用取っ手レールは、誰でも使えるものであるが、特に、このタイプのトイレ設備を使う際にリスクを負ったり困難に直面したりする老人、障害者、行動能力のない者、及び他のハンディキャップのある人に適切である。
【０００３】
【従来の技術】
ハンディキャップを有する人が、介護者の補助を必要とせずに、補助設備のないトイレ設備を使う際の補助とするために、種々の補助具が提案されている。ある提案は、取っ手レールを水洗トイレの壁に固着させることである。これらの取っ手レールは、ハンディキャップのある人にとって満足できる解決方法であるとはいえない。大きな水洗トイレにおいては、これらの取っ手レールは、遠すぎることが多く、すべてのハンディキャップを有する人によって利便で安全に使えるものではない。より小さな水洗トイレにおいては、取っ手レールは、水洗トイレ内でハンディキャップを有する人の移動の邪魔となることもある。
【０００４】
幾つかの従来の装置は、床によって支持されていて、床の有効スペースを占領してしまうので、ハンディキャップを有する人にとって不便である。さらに、便座上のマウント並びに便器上のマウントからアームレストを支持することが提案されている。アームレストの目的は、単に、使用者が快適な姿勢を維持することができるようにすることにある。従来のアームレストは、便座上に座ったり便座から立ち上がったりする人の体重を支持するようには設計されていない。
【０００５】
さらに、便座の一部として成形されているか又は便座によって支持されているかのいずれかのサポートハンドルを具備する便座を提供する提案もなされている。これらのサポートハンドルは、便座が直立位置にある場合には何らの補助も奏しない。ハンディキャップを有する人にって、直立位置から水平位置まで便座を移動することは、しばしば困難であり、リスクの大きな仕事である。さらに、サポートハンドルに負荷がかけられている場合には、ハンドルが便座に結合する場所で便座にブレーキがかかるというリスクがある。さらに、便座を清掃する場合や便座を殺菌する場合に、サポートハンドルは問題を引き起こす。
【０００６】
また、アームが支持されてもよい一対の枢動的に載置されたレールを有する便器によって支持される構造体を提供する、という別の提案もなされている。レールは、便器の後方の直立位置から便器の前方に向かって傾斜した位置まで、移動することができる。これらの移動レールは、ハンディキャップを有する人が所望の位置に移動しようとする場合、特にレールが予想に反して移動したりあるいは所望の移動方向でない方向に移動したりする場合に、リスクを生じさせる。
【０００７】
【解決しようとする課題】
本発明の目的は、便器にしっかりと固着可能で、便座に座ろうとするときや便座から立ち上がろうとするときにハンディキャップを有する人の補助となるように形成されているトイレ用取っ手レールサポートを提供することにある。
【０００８】
【課題を解決するための手段】
したがって、本発明は、便座の固着位置及び便器を貫通するボルトによって保持されている便座を有する便器用のトイレ用取っ手レールサポートを提供する。トイレ用取っ手レールサポートは、便器の後部にしっかりと載置されてボルトによって固着されるべき載置部分と、上記載置部分にしっかりと連結されているサイドレールと、を備え、装置が便器に載置される場合には、サイドレールは、便器のリムに近い便器の外面からわずかに離隔するように載置部分から前方に延在して、便器の前方に近いサイドレールは上方に湾曲して、便器に座ったり便器から立ち上がったりする使用者が把持可能な強固なハンドピースを形成するように構成されている。
【０００９】
【好ましい実施形態】
添付図面を参照しながら、本発明を説明する。
【００１０】
図１，図２及び図３は、本発明の一実施形態によるトイレ用取っ手レールサポートを示す。図２及び図３に示す嵌合位置において、トイレ用取っ手レールサポート１は、上部リブに隣接する便器２上にしっかりと載置されている。
【００１１】
トイレ用取っ手レールサポート１は、基部すなわち載置部分３を備える。載置部分３は、嵌合位置において、便器２の上部リムの後部４に載せられている。載置部分３は、２個の垂直（便器２上の位置にあるとき）穴５を具備する。垂直穴５を貫通して、便器２の上部リムの後部４上に便座７の固着部分６を保持するために通常用いられるボルト（図示せず）が受け入れられる。所定位置に組み立てられると、ボルトは、載置部分３が後部４と固着部分６との間にしっかりと保持されるように締め付けられる。調節のために、一対以上の穴５が設けられてもよい。
【００１２】
載置部分３にしっかりと連結されていて載置部分３から前方に突出するのは、２個の湾曲したサイドレール８である。サイドレール８は、トイレ用取っ手レールサポート１が便器２上に載置されるときに、便器２のリムに隣接して、便器２の湾曲した側部の外面からわずかに離隔されている。あるいは、サイドレール８は、載置部分３と一体に形成されてもよい。各サイドレール８の前方部分は、湾曲してサイドレール自身に戻り、上方及び後方に延在するループ９を形成する。ループ９を形成しているサイドレール８の端部に近い部分は、１０で示す中間部分にしっかりと結合される。下方に延在するサイドレール８の端部１１は、ゴム製キャップ付きボルト１２用のサポートを形成する。ゴム製キャップ付きボルト１２は、便器２の外面に対して堅く押しつけられるように調節可能である。サイドレール８に結合されているのは、ラグ１３である。ラグ１３は、便器２の前方の近くで、便器２のリムの上面に載せられている。ループ９は、水平位置からタンク１４に寄りかかる直立位置まで便座７の枢動移動を邪魔しないように、十分に離隔されている。
【００１３】
トイレ用取っ手レールサポート１は、便器２上に載置されているときに、強く安定した構造体を呈することが重要である。トイレ用取っ手レールサポート１は、ステンレススチールなどの金属で作られていてもよい。ラグ１３は、溶接によるなどして、サイドレール８にしっかりと連結されている。ジョイント１０もまた、溶接によるなど、強い連結である。好ましい別の実施形態にあるように、トイレ用取っ手レールサポート１は、便器２又は水洗トイレの壁あるいは他の設備にマッチするか又はこれらの設備を引き立たせるために、パウダーコートされて着色されてもよい。
【００１４】
トイレ用取っ手レールサポート１は、コンパクトで、便器の後部４と便座の固着部分６との間にしっかりと支持されている載置部分３によって便器２上にぴったりと嵌合する。このとき、サイドレール８は、便器２の外面からわずかに離隔している。トイレ用取っ手レールサポート１は、一般的に用いられている便器２上に、容易に組み立てることができる。載置されているときに、移動するパーツがなく、安定な強い構造を提供するので、ハンディキャップがある人でも、非常に安全に、便座に座ったり便座から立ち上がったりすることができる。トイレ用取っ手レールサポート１は、壁や床のスペースに何らの影響も与えないし、便器２を開ける際に邪魔にならない。さらに、便座７の移動を邪魔しない。便座７が直立位置にあるとき、ハンディキャップのある人が便座７を水平位置まで移動させるに際して、安定なサポートを与える。
【００１５】
ループ部分９は、全長にわたっていずれの部位でも把持することができる利便なハンドピースを形成する。特に、ループ９の２個の離隔したほぼ水平な部分は、効果として、便座に座ろうとする若しくは立ち上がろうとするハンディキャップのある人を補助する２個の離隔した取っ手レールを提供する。例えば、便座に近接する下方の取っ手レールは、便座から立ち上がろうとする最初の段階を補助するために用いられ、上方の取っ手レールは、立ち上がった位置まで動く段階を補助するために用いられる。加えて、ループ９を把持することによって、男性は、便器２に放尿するために安定に立っていることができる。
【００１６】
図４及び図５に示す実施形態において、上方取っ手レール１９は、１本の連続レールで形成されている。便座に近接するサイドレール８は、第１の実施形態のサイドレールと同じ構成であり、下方取っ手レールとして作用する。便器２の前方近くではサイドレール８が上方に、次いで後方に、次いで同様に構成されている便器２の他方の側を横断して、湾曲している。サポート部材２１は、調節可能なボルト１２を支持するために、サイドレール８に溶接されている。
【００１７】
本発明の別の実施形態において、便座に近接するサイドレール８は、上述のサイドレールと同様の構成であってもよく、下方取っ手レールとして作用する。しかし、上方取っ手レールを含む残りの部分は、特定のユーザーの特定の要求に合致するように設計されていてもよい。所望であれば、サイドレールのパーツは、数人のユーザーに対する要求を満たすように相互交換可能であってもよい。しかし、取っ手レールサポートがハンディキャップを有する人によって用いられるために、相互交換可能なパーツは、所定位置にしっかりとロックされることが重要である。別の実施形態において、取っ手レールサポートは、車椅子患者のために特に適する。取っ手レールサポートの部分は取り外し可能であってもよく、枢動構成に形成されていてもよい。いずれの場合にも、取り外し可能な部分又は枢動する部分の効果的なロックは、基本的に、車椅子患者の体重が取っ手レールサポートに寄りかかる前になされる。
【図面の簡単な説明】
【図１】  図１は、本発明の一実施形態によるトイレ用取っ手レールサポートの平面図である。
【図２】  図２は、便器上に載置された図１のトイレ用取っ手レールサポートの前面立面図である。
【図３】  図３は、トイレ設備の追加の構成要素を含む図２のトイレ用取っ手レールサポートの側面立面図である。
【図４】  図４は、本発明の第２の実施形態を示す図２と同様のトイレ用取っ手レールサポートの前面立面図である。
【図５】  図５は、本発明の第２の実施形態を示す図３と同様のトイレ用取っ手レールサポートの側面立面図である。
【図１】
0003825633.tif 000002
【図２】
0003825633.tif 000003
【図３】
0003825633.tif 000004
【図４】
0003825633.tif 000005
【図５】
0003825633.tif 000006